(57)【要約】【課題】非提示媒体及び提示媒体が使用でき、通行者と媒体を正しく関連付けることができるゲート装置を提供する。【解決手段】自動改札機１は、改札通路１２の入口側から奥側に順に、磁気券投入口３Ａ、アンテナ４Ａ、第１通過検出センサ９Ａ、人体通信媒体１５との人体通信用の人体通信パッド５Ａ、及び第２通過検出センサ９Ｂを備える。制御部１０は、磁気券投入口３Ａから投入された磁気券、またはアンテナ４Ａで通信したＩＣカードから媒体情報を取得すると、人体通信パッド５Ａを一時的に停止状態にして、通行者と、この通行者が所持する磁気券またはＩＣカードとを関連付ける。磁気券またはＩＣカードから媒体情報を取得していない状態で、第１通過検出センサ９Ａが通行者を検出すると、磁気券またはＩＣカードからの媒体情報取得を停止し、人体通信媒体と通信して媒体情報を取得し、通行者と、この通行者が所持する人体通信媒体とを関連付ける。【選択図】図１
2012194719.tif 000002
【特許請求の範囲】
【請求項１】
通路の入口側で、通行者から提示された提示媒体から媒体情報を取得する媒体情報取得部と、
前記通路の前記媒体情報取得部よりも奥側に設置され、通行者の人体を介して、該通行者が所持する非提示媒体と通信して媒体情報を取得する人体通信アンテナと、
前記媒体情報取得部が提示媒体から媒体情報を取得すると、前記人体通信アンテナによる通信を一時的に停止状態にする制御部と、
を備えたゲート装置。
【請求項２】
前記媒体情報取得部と前記人体通信アンテナの間に位置する第１通過検出位置で通行者を検出する第１通過検出部を備え、
前記制御部は、前記第１通過検出部が前記第１通過検出位置で通行者を検出したときに、前記媒体情報取得部が提示媒体から媒体情報を取得していなければ、前記媒体情報取得部を一時的に停止状態にする、請求項１に記載のゲート装置。
【請求項３】
前記制御部は、前記媒体情報取得部が提示媒体から取得した媒体情報が適正であるかどうかを判定し、該媒体情報が不適正であれば、前記人体通信アンテナによる通信を一時的に停止状態にせずに動作状態を継続する、請求項１または２に記載のゲート装置。
【請求項４】
前記制御部は、前記媒体情報取得部が提示媒体から取得した媒体情報が適正であるかどうかを判定し、該媒体情報が不適正であり、かつ該媒体情報に含まれる前回の利用情報が不適正でなければ、前記人体通信アンテナによる通信を一時的に停止状態にする、請求項１または２に記載のゲート装置。
【請求項５】
前記人体通信アンテナよりも前記通路の奥側に位置する第２通過検出位置で通行者を検出する第２通過検出部を備え、
前記制御部は、前記第２通過検出部が前記第２通過検出位置で通行者を検出したときに、前記人体通信アンテナによる通信が停止状態であれば、動作状態に復帰させる、請求項１乃至４のいずれかに記載のゲート装置。
【請求項６】
前記制御部は、前記第２通過検出部が前記第２通過検出位置で通行者を検出したときに、前記媒体情報取得部が停止状態であれば、動作状態に復帰させる、請求項５に記載のゲート装置。
【発明の詳細な説明】
【技術分野】
【０００１】
この発明は、通行者の通行を制御するゲート装置に関する。
【背景技術】
【０００２】
従来、磁気券や非接触ＩＣカード（ＲＦＩＤタグ）を通行券として使用して、この通行券の有無により通路の通行を制御するゲート装置が普及している。このようなゲート装置には、例えば、駅の改札に設置された自動改札機や、会社などの出入り口に設置されたセキュリティゲートがある。通行者は、ゲート装置が設置された通路を通行するときに、ゲート装置の入口側に設置された投入口に磁気券を投入したり、ゲート装置の入口側に設置されたアンテナに非接触ＩＣカードをかざしたりするなど、ゲート装置に通行券を能動的に提示して読み取らせる動作が必要である。以下、磁気券や非接触ＩＣカードのようにゲート装置に対して提示が必要な通行券を、提示媒体とも称する。
【０００３】
近時、通行者が通行券を能動的に提示する動作が不要なゲート装置が提案されている（特許文献１参照）。このゲート装置では、通路に電極を設置し、通行券である人体通信媒体（ユーザデバイス）を所持する通行者の人体を、人体通信媒体と電極との間を接続するキャパシタの誘電体として機能させる。つまり、ゲート装置は、通行者の人体を介して、電極と人体通信媒体との間で人体通信を行う。通行者は、ゲート装置が設置された通路を通行するときに電極を通過するので、人体通信媒体を所持しているだけで能動的に提示しなくても、ゲート装置に通行券の情報を読み取らせることができる。以下、人体通信媒体のようにゲート装置に対して提示が不要な通行券を、非提示媒体とも称する。
【先行技術文献】
【特許文献】
【０００４】
【特許文献１】特開２００７−１７２１０３号公報
【発明の概要】
【発明が解決しようとする課題】
【０００５】
非提示媒体と提示媒体の両方を使用できるゲート装置は従来なかったが、今後開発されることが考えられる。このようなゲート装置が開発されると、通行者が非提示媒体と提示媒体の両方を所持することが有り得る。通行者が非提示媒体と提示媒体の両方を所持している場合、各媒体の読取位置や読取タイミングの設定が悪いと、ゲート装置は、非提示媒体と提示媒体の両方とも読み取ってしまう。このとき、ゲート装置は、提示媒体を所持者のものとして認識し、非提示媒体を別の通行者のものと認識してしまうと、通行者と媒体を正しく関連付けることができなくなる。
【０００６】
また、通行者が非提示媒体と提示媒体の一方のみを所持していても、各媒体の読取位置や読取タイミングの設定が悪いと、後に通行する通行者の媒体を、先に通路を通過する通行者の媒体よりも先に読み取ってしまう。このとき、ゲート装置は、後に通路を通行する通行者の媒体を、先に通路を通行する通行者のものとして認識してしまうと、通行者と媒体を正しく関連付けることができなくなる。
【０００７】
このように、通行者と媒体とを正しく関連付けできないと、媒体を所持する通行者が通路を通行できなかったり、媒体を所持していない通行者が通路を通行できたりするといった問題が発生する。
【０００８】
そこで、この発明は、非提示媒体及び提示媒体が使用でき、通行者と、その通行者が通路を通行する際に使用する提示媒体または非提示媒体と、を正しく関連付けることができるゲート装置を提供することを目的とする。
【課題を解決するための手段】
【０００９】
この発明のゲート装置は、上記目的を達するために、以下のように構成している。
【００１０】
ゲート装置は、媒体情報取得部により、通路の入口側で、通行者から提示された提示媒体から媒体情報を取得する。提示媒体とは、例えば、磁気券や非接触ＩＣカードのように、通行者がゲート装置に対して能動的に提示して記録情報を読み取らせる記録媒体である。人体通信アンテナが、媒体情報取得部よりも通路の奥側に設置され、通行者の人体を介して、この通行者が所持する非提示媒体と通信して媒体情報を取得する。非提示媒体とは、例えば、人体通信媒体のように、通行者がゲート装置に対して能動的に提示しなくても、所持しているだけで記録情報を読み取らせることができる記録媒体である。媒体情報取得部が提示媒体から媒体情報を取得すると、人体通信アンテナによる通信を一時的に停止状態にする
この構成では、提示媒体を能動的に提示した通行者が、さらに非提示媒体も所持していたとしても、この非提示媒体がゲート装置と通信するのを防止できる。したがって、通行者と、その通行者が通路を通行する際に提示した提示媒体と、を正しく関連付けることができる。
【００１１】
また、この発明のゲート装置は、第１通過検出部により、媒体情報取得部と人体通信アンテナの間に位置する第１通過検出位置で通行者を検出する。制御部は、第１通過検出位置で通行者を検出したときに、提示媒体から媒体情報を取得していなければ、媒体情報取得部を一時的に停止状態にする。
【００１２】
この構成では、人体通信アンテナが非提示媒体と通信する前に、別の通行者の提示媒体の媒体情報を媒体情報取得部で取得してしまうことがない。したがって、通行者と、その通行者が通路の通行に使用する非提示媒体と、を正しく関連付けることができる。
【００１３】
また、この発明のゲート装置は、媒体情報取得部が提示媒体から取得した媒体情報が不適正であれば、人体通信アンテナを一時的に停止させずに動作状態を継続する。
【００１４】
この構成では、通行者が提示媒体と非提示媒体を所持しており、提示媒体の媒体情報が不適正であっても、非提示媒体の媒体情報が適正であれば、通行者を通行させることに問題はないので、人体通信アンテナにより提示媒体から媒体情報を取得する。したがって、提示媒体の媒体情報が不適正であっても、通行者が非提示媒体を所持している場合には、この通行者と、この通行者が所持する非提示媒体と、を正しく関連付けることが可能となる。
【００１５】
また、この発明のゲート装置は、媒体情報取得部が取得した提示媒体の媒体情報が適正であるかどうかを判定し、媒体情報が不適正であり、かつ媒体情報に含まれる前回の利用情報が不適正でなければ、人体通信アンテナによる通信を一時的に停止する。
【００１６】
通行者が提示した提示媒体の媒体情報が不適正で、かつ前回の利用情報が不適正でなければ、乗車区間や利用可能な期間が不適正であったり、運賃が不足していたりする可能性がある。この構成では、上記のような場合には、人体通信媒体との通信を停止するので、この通行者が非提示媒体により通行者を通行させてしまうことがなく、提示媒体の媒体情報が適正になるように通行者に対処させることができる。
【００１７】
また、この発明のゲート装置では、第２通過検出位置で通行者を検出したときに、人体通信アンテナによる通信が停止状態か、または媒体情報取得部が停止状態であれば、動作状態に復帰させる。したがって、次の通行者の媒体から直ちに媒体情報を取得することができ、次の通行者が通路を通行する際に使用する提示媒体または非提示媒体と、その通行者と、を正しく関連付けることができる。
【発明の効果】
【００１８】
この発明によれば、非提示媒体及び提示媒体が使用でき、通行者が通路を通行する際に使用する提示媒体または非提示媒体と、その通行者と、を正しく関連付けることができる。
【図面の簡単な説明】
【００１９】
【図１】図１（Ａ）は、本実施形態に係る自動改札機を改札通路の入口側から見た正面図である。図１（Ｂ）は、本実施形態に係る自動改札機の側面図である。
【図２】人体通信パッドと人体通信媒体との信号の伝搬経路を示す図である。
【図３】自動改札機の制御系を示すブロック図である。
【図４】自動改札機の処理を説明するためのフローチャートである。
【発明を実施するための形態】
【００２０】
以下、この発明のゲート装置の一実施形態である自動改札機について説明する。
【００２１】
図１（Ａ）は、本実施形態に係る自動改札機を改札通路の入口側から見た正面図である。図１（Ｂ）は、本実施形態に係る自動改札機の側面図である。図２は、人体通信パッドと人体通信媒体との信号の伝搬経路を示す図である。なお、図２には、人体通信媒体と人体通信パッドの間の信号の伝搬経路のみを表示している。
【００２２】
図１（Ａ）に示すように、自動改札機１は、対になる自動改札機１１と改札通路１２を挟んで対向して設置されている。図１（Ｂ）においては、自動改札機１の右側が改札通路の入口、自動改札機１の左側が改札通路の出口である。自動改札機１は、磁気券、非接触ＩＣカード（ＲＦＩＤタグ）、及び人体通信媒体の３種類の乗車券（検札対象媒体）を使用できるものとする。
【００２３】
磁気券は、乗車券情報が磁気データで記録されている乗車券である。非接触ＩＣカードは、近距離無線通信用のアンテナを介して通信する機能を有し、乗車券情報が内蔵メモリに記録されている乗車券である。人体通信媒体は、人体通信パッドを通過する人体を介して人体通信する機能を有し、乗車券情報が内蔵メモリに記録されている乗車券である。人体通信パッドは、本発明の人体通信アンテナに相当する。
【００２４】
以下の説明では、磁気券や非接触ＩＣカードのようにゲート装置に対して提示が必要な通行券を、提示媒体と称する場合がある。また、人体通信媒体のようにゲート装置に対して提示が不要な通行券を、非提示媒体と称する場合がある。
【００２５】
自動改札機１は、筐体１Ａの上面に、磁気券投入口３Ａ、非接触ＩＣカードとの通信用のアンテナ４Ａ、液晶モニタ８Ａ、及び磁気券排出口３Ｂを備えている。また、筐体１Ａの改札通路１２側の側面に、スピーカ２Ａ、複数の光電センサ９、及び扉７Ａを備えている。また、改札通路１２の路面には、人体通信パッド５Ａが設置されている。
【００２６】
人体通信パッド５Ａは、改札通路１２の中央部の路面に設けられている。人体通信パッド５Ａは、人体通信媒体１５と通信するための電極（人体通信アンテナに相当）を内蔵している。図２に示すように、人体通信媒体１５を所持する通行者Ｐが人体通信パッド５Ａの上を通過すると、人体通信パッド５Ａと人体通信媒体１５との間に、通行者Ｐの人体を介して信号の伝搬経路ができる。これにより、自動改札機１は、人体通信パッド５Ａにより、通行者Ｐの人体を介して人体通信媒体１５と通信する。
【００２７】
磁気券投入口３Ａは、改札通路１２の入口側に設けられている。磁気券投入口３Ａには、通行者が所持する磁気券が投入される。磁気券は、筐体１Ａの内部に設けられた磁気券搬送路を介して磁気券排出口３Ｂに搬送される。
【００２８】
磁気券排出口３Ｂは、改札通路１２の出口側に設けられている。磁気券排出口３Ｂは、磁気券を排出して、改札通路１２を通過する通行者に磁気改札券を返却する。
【００２９】
アンテナ４Ａは、改札通路１２の入口側に設けられている。アンテナ４Ａは、通行者によりかざされた非接触ＩＣカードと短距離の通信を行う。
【００３０】
扉７Ａは、改札通路１２の出口に設けられている。扉７Ａは、後述の扉駆動処理部７により開状態または閉状態に切り替えられる。
【００３１】
複数の光電センサ９は、改札通路１２に沿って一定間隔で配列されている。各光電センサ９は、対となる自動改札機の一方に発光部を設け、他方に受光部を設けた透過型の構成であり、赤外光を改札通路１２に照射して通行者の人体に遮蔽されるか否かを検出する。自動改札機１では後述の制御部１０が、複数の光電センサ９の出力がオフになる領域に、改札通路１２に進入した通行者が位置すると推定し、通行者の位置を追跡する。そして、通行者に対して、追跡した位置に応じた適切な制御タイミングで、その位置に応じた処理を行う。
【００３２】
複数の光電センサ９のうち、改札通路１２において、磁気券投入口３Ａ及びアンテナ４Ａと、人体通信パッド５Ａと、の間に位置する第１通過検出位置に設けられた光電センサ９を、特に第１通過検出センサ９Ａと称する。第１通過検出センサ９Ａは、第１通過検出部に相当し、第１通過検出位置の通行者、すなわち、磁気券投入口３Ａ及びアンテナ４Ａを通過して、人体通信パッド５Ａに到達する前の通行者を検出する。
【００３３】
複数の光電センサ９のうち、人体通信パッド５Ａよりも改札通路１２の奥側で、扉７Ａよりも改札通路１２の入口側に位置する第２通過検出位置に設けられた光電センサ９を、特に第２通過検出センサ９Ｂと称する。第２通過検出センサ９Ｂは、第２通過検出部に相当し、第２通過検出位置の通行者、すなわち、人体通信パッド５Ａを通過して、扉７Ａに到達する前の通行者を検出する。
【００３４】
スピーカ２Ａは、改札通路１２の入口側に設けられている。自動改札機１は、各種の案内音や警告音をスピーカ２Ａから利用者に報知する。
【００３５】
液晶モニタ８Ａは、改札通路１２の出口側（磁気券排出口３Ｂより改札通路１２の入口側）に設けられている。自動改札機１は、液晶モニタ８Ａに案内表示や警告表示を表示して、利用者に対して案内や警告を報知する。
【００３６】
図３は、自動改札機の制御系を示すブロック図である。自動改札機１は、制御部１０、放音処理部２、磁気券処理部３、ＲＦＩＤ通信部４、人体通信部５、扉駆動処理部７、表示処理部８、及び上述の光電センサ９（９Ａ，９Ｂ）を備えている。
【００３７】
制御部１０は、自動改札機１における各部の動作を制御する。
【００３８】
放音処理部２は、制御部１０が出力する制御信号に基づいて不図示のメモリから音声信号を読み出して再生し、スピーカ２Ａから通行者に対して各種音声情報を報知する。例えば、放音処理部２は、扉７Ａを閉じて通行を禁止した際に音声で報知する。
【００３９】
磁気券処理部３は、媒体情報取得部に相当し、磁気券を磁気券投入口３Ａから磁気券排出口３Ｂへ搬送したり、磁気券からの媒体情報の取得や磁気券に対する今回の利用情報の記録などを行ったりする。
【００４０】
ＲＦＩＤ通信部４は、媒体情報取得部に相当し、アンテナ４Ａを介して非接触ＩＣカードの内蔵メモリから媒体情報を取得したり、非接触ＩＣカードの内蔵メモリに対して今回の利用情報を記録したりする。
【００４１】
人体通信部５は、一例として電界方式で人体通信を行う。人体通信部５は、人体通信パッド５Ａから人体通信媒体１５へ、人体通信パッド５Ａを通過する通行者Ｐの人体表面の電界に変動を与えて信号を送信する。また、人体通信部５は、人体通信媒体１５による電界の変動を信号として検出する。これにより、人体通信部５は、人体通信媒体１５の内蔵メモリから媒体情報を取得したり、人体通信媒体１５のメモリに対して今回の利用情報を記録したりする。人体通信部５は、特許文献１に記載されたような周知の構成により人体通信を行うように構成するとよい。
【００４２】
扉駆動処理部７は、制御部１０が出力する制御信号に基づいて、改札通路１２における通行者の通行を制限するときには扉７Ａを閉状態にし、改札通路１２における通行者の通行を許可するときには、扉７Ａを開状態にする。
【００４３】
表示処理部８は、制御部１０が出力する制御信号に基づいてメモリから画像信号を読み出して、液晶モニタ８Ａに各種画像情報を表示させて、通行者に情報を報知する。
【００４４】
次に、自動改札機１の動作について説明する。図４は、自動改札機の処理を説明するためのフローチャートである。
【００４５】
自動改札機１の制御部１０は、磁気券が磁気券投入口３Ａに磁気券が投入されるか、または、アンテナ４Ａに非接触ＩＣカード（以下、単にＩＣカードと称する。）がかざされるのを待ち受けている。制御部１０は、磁気券が磁気券投入口３Ａに磁気券が投入されるか、または、アンテナ４Ａに非接触ＩＣカード（以下、単にＩＣカードと称する。）がかざされて、磁気券処理部３またはＲＦＩＤ通信部４が提示媒体に記録されている乗車券情報を取得すると（Ｓ１：Ｙ）、この乗車券情報が適正かどうかを確認する（Ｓ２）。制御部１０は、通行者の入場改札処理を行う場合には、提示媒体に前回の利用情報として出場記録が記録されているか、乗車区間や利用可能な期間が正しいかなどの判定を行う。制御部１０は、通行者の出場改札処理を行う場合には、提示媒体に前回の利用情報として入場情報が記録されているか、乗車区間や利用可能な期間が正しいか、運賃不足は無いかなどの判定を行う。
【００４６】
制御部１０は、提示媒体に記録されている乗車券情報が適正と判定すれば（Ｓ２：Ｙ）、人体通信部５を一時的に停止状態にする（Ｓ３）。これにより、この通行者が磁気券またはＩＣカードの他に、人体通信媒体を所持していたとしても、誤って人体通信媒体についても処理を行うのを防止でき、通行者と、通行者が所持する提示媒体と、を関連付けることができる。
【００４７】
制御部１０は、続いて、提示媒体に対して今回の利用情報などを記録する（Ｓ４）。制御部１０は、通行者の入場処理を行う場合には、提示媒体に今回の利用情報として入場情報を記録させる。制御部１０は、通行者の出場処理を行う場合には、提示媒体に今回の利用情報である出場情報の記録や、運賃の精算処理などを行う。
【００４８】
制御部１０は、ステップＳ４の処理が終了すると、この通行者の通行を許可し、扉駆動処理部７に出口側に設置された扉７Ａを開にさせる（Ｓ５）。
【００４９】
制御部１０は、第２通過検出センサ９Ｂで第２通過検出位置まで進んだ通行者を検出すると（Ｓ６：Ｙ）、ステップＳ３において一時的に停止状態にした人体通信部５を動作状態に復帰させる（Ｓ７）。これにより、次に通路を通行する通行者の人体通信媒体から速やかに媒体情報を取得することができる。
【００５０】
そして、制御部１０は、ステップＳ１以降の処理を再度行う。
【００５１】
一方、制御部１０は、ステップＳ２において、提示媒体に記録されている情報が不適正であると判定した場合（Ｓ２：Ｎ）、提示媒体に前回の利用情報が不適正でなければ（Ｓ８：Ｎ）、それ以外の情報が不適正である。例えば、乗車区間や利用可能な期間などの情報が正しくなかったり、運賃不足が発生していたりする。この場合、通行者が人体通信媒体を所持していたとしても、通過させるのは問題である。そのため、人体通信部５を一時的に停止状態にして（Ｓ９）、この通行者が磁気券またはＩＣカードの他に、人体通信媒体を所持していた場合に、この通行者が人体通信媒体を使用して通路を通過してしまうのを防止する。
【００５２】
続いて、制御部１０は、この通行者の通行を禁止し、扉駆動処理部７に扉７Ａを閉状態にさせる（Ｓ１０）。そして、制御部１０は、放音処理部２及び表示処理部８に指示して、通行を禁止した理由や対処の方法などを、スピーカ２Ａや液晶モニタ８Ａから報知させ、改札処理を停止する（Ｓ１１）。
【００５３】
制御部１０は、ステップＳ８において、提示媒体に前回の利用情報が不適正であれば（Ｓ８：Ｙ）、入場時であれば、前回の出場時に提示媒体に情報が正しく記録されていなかったことが考えられる。また、出場時であれば、通行者が人体通信媒体を所持しているのに、誤って提示媒体を提示したと考えられる。この場合、通行者が人体通信媒体を所持していれば、人体通信媒体により、入場処理や出場処理を行っても問題は発生しない。そのため、制御部１０は、通行者の通行を禁止せずに、人体通信部５を一時的に停止状態にせずに動作状態を継続させ、第１通過検出センサ９Ａで通行者の検出を待ち受ける（Ｓ１２：Ｎ）。そして、制御部１０は、第１通過検出センサ９Ａで通過者を検出すると（Ｓ１２：Ｙ）、磁気券処理部３及びＲＦＩＤ通信部４を一時的に停止状態にして、提示媒体（磁気券及びＩＣカード）から媒体情報を取得しないようにする（Ｓ１３）。また、制御部１０は、ステップＳ１において、提示媒体から媒体情報を取得していない状態で（Ｓ１：Ｎ）、第１通過検出センサ９Ａで通過者を検出すると（Ｓ１２：Ｙ）、ステップＳ１３の処理を行う。これにより、人体通信パッド５Ａを通行者Ａが通過する前に、次の通行者Ｂから磁気券やＩＣカードから媒体情報を取得して、通行者Ｂの乗車券を通行者Ａの乗車券と誤認識するのを防止できる。したがって、通行者Ａと、この通行者が所持する人体通信端末と、を正しく関連付けることができる。
【００５４】
制御部１０は、ステップＳ１３の処理に続いて、第２通過検出センサ９Ｂが通行者を検出するまでの間に、人体通信部５に人体通信媒体（非提示媒体）と通信できるかを確認させる（Ｓ１４：Ｎ、Ｓ１５：Ｎ）。
【００５５】
制御部１０は、通行者の人体を介して人体通信媒体と通信できた場合には（Ｓ１４：Ｙ）、人体通信媒体（非提示媒体）に記録されている情報が適正かどうかを確認する（Ｓ１６）。制御部１０は、通行者の入場処理を行う場合には、提示媒体に前回の利用情報として出場記録が記録されているか、乗車区間や利用可能な期間が正しいか、などの判定を行う。制御部１０は、通行者の出場処理を行う場合には、提示媒体に前回の利用情報として入場情報が記録されているか、乗車区間や利用可能な期間が正しいか、運賃不足は無いかなどの判定を行う。
【００５６】
制御部１０は、人体通信媒体に記録されている情報が適正であると判定した場合には（Ｓ１６：Ｙ）、この通行者の通行を許可し、前述のステップＳ４以降の処理を行う。
【００５７】
一方、制御部１０は、ステップＳ１６において、人体通信媒体に記録されている情報が不適正である場合には、この通行者の通行を禁止し、前述のステップＳ１０以降の処理を行う。
【００５８】
また、制御部１０は、ステップＳ１４において、人体通信媒体と通信できず（Ｓ１４：Ｎ）、第２通過検出センサ９Ｂが通行者を検出した場合には（Ｓ１５：Ｙ）、通行者は、人体通信媒体を所持していないと判断する。そして、制御部１０は、この通行者の通行を禁止し、前述のステップＳ１０以降の処理を行う。
【００５９】
このように、本実施形態の自動改札機１は、上述の処理を実行するので、提示媒体である磁気券及びＩＣカードと、非提示媒体である人体通信媒体と、の両方を使用できる。また、通行者と、この通行者が通路を通行する際に使用する提示媒体または非提示媒体と、を正しく関連付けることができる。
【００６０】
なお、上述の説明では、本願発明を駅などでの改札業務に使用する自動改札機を例に挙げて説明したが、これに限るものではなく、人体通信を利用した入退室管理など、本願発明は様々なゲート装置に適用できる。
【００６１】
また、自動改札機１は、磁気券、ＩＣカード、及び人体通信媒体の３種類の乗車券を使用できるものとして説明したが、これに限るものではなく、磁気券と人体通信媒体、またはＩＣカードと人体通信媒体の２種類の乗車券を使用できるように構成しても、当然よい。
【００６２】
また、人体通信パッド５Ａが電極を内蔵し、電界方式により人体を介して人体通信媒体と通信させる例を挙げて説明したが、これに限るものではなく、人体通信パッドに対向している通行者の人体を介して、この通行者が所持する人体通信媒体（非提示媒体）と通信する他の方式でもよい。例えば、電流方式、ＵＨＦ帯電磁波方式、弾性波方式（超音波方式）、エバネセント通信方式など、他の方式を用いてもよい。
【符号の説明】
【００６３】
１，１１−自動改札機    ２−放音処理部    ２Ａ−スピーカ    ３−磁気券処理部    ３Ａ−磁気券投入口    ３Ｂ−磁気券排出口    ４−ＲＦＩＤ通信部    ４Ａ−アンテナ    ５−人体通信部    ５Ａ−人体通信パッド    ７−扉駆動処理部    ７Ａ−扉    ８−表示処理部    ８Ａ−液晶モニタ    ９−光電センサ    ９Ａ−第１通過検出センサ    ９Ｂ−第２通過検出センサ    １０−制御部    １５−人体通信媒体
【図１】
2012194719.tif 000003
【図２】
2012194719.tif 000004
【図３】
2012194719.tif 000005
【図４】
2012194719.tif 000006